(57)【要約】      （修正有）【課題】錠剤ケースと飲料ボトルを一緒に持ち運んでも鞄の中が乱雑にはならず、常に錠剤ケースと飲料ボトルを同時に手にすることができる錠剤ケースを提供することである。【解決手段】胴部１４の上端に、上方になだらかに縮径する肩部１３を介して首部を連設し、該首部の外周面に突出部１２を周設した合成樹脂製壜体に組み付く錠剤ケースであって、該錠剤ケース１は、錠剤を収納するためのケース部２Ａ、２Ｂ、２Ｃと該ケース部を繋ぐ周壁３を備え、該周壁３は、ケース部２Ａ、２Ｂ、２Ｃの間にて内側に湾曲するコーナー部３Ａを有し、該コーナー部３Ａの内周面には、該突出部１２に係止する係止部が形成されていることを特徴とする錠剤ケース。【選択図】図１
2016124563.tif 000002
【特許請求の範囲】
【請求項１】
胴部１４の上端に、上方になだらかに縮径する肩部１３を介して首部を連設し、該首部の外周面に突出部１２を周設した合成樹脂製壜体に組み付く錠剤ケースであって、
該錠剤ケース１は、錠剤を収納するためのケース部２と該ケース部２を繋ぐ周壁３を備え、
該周壁３は、ケース部２とケース部２の間にて内側に湾曲するコーナー部３Ａを有し、
該コーナー部３Ａの内周面には、該突出部１２に係止する係止部３Ｂが形成されていることを特徴とする錠剤ケース。
【請求項２】
前記ケース部２が３個形成されている請求項１に記載の錠剤ケース。
【請求項３】
前記ケース部２がヒンジ部６を介して上蓋４を外側に開口する際に指先を掛けるつまみ部５は、中央部が外側に向かって湾曲している請求項１又は２に記載の錠剤ケース。
【請求項４】
前記錠剤ケース１が、透明又は半透明な合成樹脂材料で形成されている請求項１〜３のいずれかに記載の錠剤ケース。
【発明の詳細な説明】
【技術分野】
【０００１】
本発明は、医薬品やビタミン剤等の錠剤を収納する錠剤ケースであり、より詳しくは、錠剤の服用時に共に飲む水の飲料ボトル等に組み付ける錠剤ケースに関する。
【背景技術】
【０００２】
従来より携帯用の錠剤ケースは数多くあり、１週間分の錠剤が入れられるもの、１日分の錠剤が入れられるもの、食事ごとの服用分が分けられて入れられるものなど多岐にわたる。錠剤を服用する際は、多くの場合に水と共に飲み込むため水が必要であるが、外出した時に水を携行していなかったり、周囲に水を飲む場所がない場合は水を飲む場所を探したり、水を販売している場所を探さなければならなかった。
【０００３】
そして錠剤ケースと飲料ボトルを鞄に入れて携行したとしても、比較的小さな錠剤ケースを鞄の中から探し出す煩わしさがあった。そのため、錠剤等を収納する収納部を具備した袋本体を飲料ボトルの首部に引っ掛ける掛止用袋体も開示されている（例えば、特許文献１参照）。しかしながら、例えば、１日分の３回分を一緒に携行する場合には、服用毎に袋本体から服用する錠剤を選択する必要があったり、一方、３回分の服用毎ごとに袋本体を用意すると携行する鞄の中が乱雑になったり服用時に袋本体が邪魔になる等の煩わしさが伴うものであった。
【先行技術文献】
【特許文献】
【０００４】
【特許文献１】特開２００６−２３２２８７号公報
【発明の概要】
【発明が解決しようとする課題】
【０００５】
本発明の目的は、上記課題を解決することであり、即ち、錠剤ケースと飲料ボトルを一緒に持ち運んでも鞄の中が乱雑にはならず、常に錠剤ケースと飲料ボトルを同時に手にすることができる錠剤ケースを提供することである。
【課題を解決するための手段】
【０００６】
上記課題の解決手段として、本発明に係る錠剤ケースは、
胴部の上端に、上方になだらかに縮径する肩部を介して首部を連設し、該首部の外周面に突出部を周設した合成樹脂製壜体に組み付く錠剤ケースであって、
該錠剤ケースは、錠剤を収納するためのケース部と該ケース部を繋ぐ周壁を備え、
該周壁は、ケース部とケース部の間にて内側に湾曲するコーナー部を有し、
該コーナー部の内周面には、該突出部に係止する係止部が形成されていることを特徴とする。
【０００７】
この構成では、錠剤ケースが壜体の首部から肩部にかけての空いたスペースを利用しているため、外出時に持ち出す鞄の中などで嵩張ることがなく、錠剤ケースが邪魔になることもない。また、組み付いているので錠剤ケースと壜体が別々にならず鞄の中が乱雑になることはなく、常に錠剤ケースと飲料ボトルを同時に手にすることができるため、錠剤ケースを探す煩わしさもない。
【０００８】
また、本発明に係る別の錠剤ケースにおいて、ケース部が３個形成されている。
【０００９】
上記構造では、ケース部が３個形成されているため、錠剤を１日分の朝昼夜の３回分を個別に収納することができる。また、壜体の内容液をケース部とケース部の間のコーナー部にて飲むと、錠剤ケースが顎などに触れることがない。
【００１０】
また、本発明に係る別の錠剤ケースにおいて、ケース部がヒンジ部を介して上蓋を外側に開口する際に指先を掛けるつまみ部は、中央部が外側に向かって湾曲している。
【００１１】
上記構造では、上蓋を外側に開口する際に指先を掛けるつまみ部の中央部が外側に向かって湾曲しているため、指先が掛り易くなり、また指が太い人でも指先を掛けることができる。
【００１２】
また、本発明に係る別の錠剤ケースにおいて、錠剤ケースが透明又は半透明な合成樹脂材料で形成されている。
【００１３】
上記構造では、錠剤ケースが透明又は半透明な合成樹脂材料で形成されているため、錠剤の存在が目に留まり、錠剤の服用を喚起することができ、服用の飲み忘れを抑制することができる。
【発明の効果】
【００１４】
本発明の上記した構成においては、以下に示す効果を奏する。
本発明では、錠剤ケースが壜体の首部から肩部にかけての空いたスペースを利用しているため、外出時に持ち出す鞄の中などで嵩張ることがなく、錠剤ケースが邪魔になることもない。また、組み付いているので錠剤ケースと壜体が別々になることはなく鞄の中が乱雑になることはなく、常に錠剤ケースと飲料ボトルを同時に手にすることができるため、錠剤ケースを探す煩わしさも解消される。
【００１５】
また本発明では、ケース部が３個形成されているため、錠剤を１日分の朝昼夜の３回分を個別に収納することができる。
【図面の簡単な説明】
【００１６】
【図１】本発明に係る錠剤ケースが壜体に組み付いた第１の実施形態を示す正面図である。
【図２】図１の錠剤ケースが壜体に組み付いた時の平面図（ａ）、側面図（ｂ）である。
【図３】本発明に係る錠剤ケースの平面図である。
【図４】第１の実施形態の使用例における斜視図である。
【図５】第１の実施形態の使用例において、ケース部を開口した時の斜視図である。
【図６】本発明に係る錠剤ケースの第２の実施形態を示す斜視図である。
【図７】第２の実施形態の使用例において、ケース部を開口した時の斜視図である。
【発明を実施するための形態】
【００１７】
以下、本発明にかかる実施の形態について図面を参照しつつ説明する。
【００１８】
図１は本発明に係る錠剤ケースが壜体に組み付いた第１の実施形態を示す正面図であり、図２は錠剤ケースが壜体に組み付いた時の平面図（ａ）と側面図（ｂ）であり、図３は錠剤ケースの平面図である。
【００１９】
図１及び図２に示される第１の実施形態で錠剤ケース１は、底部１５を有する丸型形状の水等の内容液を収容する壜体１０の胴部１４の上端に、上方になだらかに縮径する肩部１３を介して首部を連設した合成樹脂製の壜体１０に組み付くものである。首部の外周面には突出部１２としてのネックリングが周設され、このネックリング１２の上部には円筒状の口筒部が形成され、キャップ１１が螺合している。
【００２０】
錠剤ケース１は、医薬品やビタミン剤等の錠剤を収納するためのケース部２を３個有し、該ケース部２を繋ぐ周壁３を形成している。周壁３は、ケース部２とケース部２の間にて内側に湾曲するコーナー部３Ａを有している。コーナー部３Ａの内周面には、ネックリング１２に係止する図３に示されるような係止部３Ｂが形成されている。コーナー部３Ａの内周面の最上部は、ネックリング１２の外周面と接するように係止しており、また内周面の下部には、ネックリング１２の下端部にアンダーカットで係止する係止部（係止突起）３Ｂが設けられている。錠剤ケース１は、透明又は半透明な合成樹脂材料で形成されていると、錠剤の存在が目に留まり、錠剤の服用を喚起でき、飲み忘れ抑制の観点から好ましい。
【００２１】
錠剤を収納するケース部２には、蓋体となる上蓋４と該上蓋４を開口し易くするためのつまみ部５が形成されている。上蓋４はヒンジ部６を介してケース部２に連接される構造となっており、ケース部２に上蓋４をヒンジ部６により回動開閉可能に結合することができる。ケース部２は、錠剤を１日分の朝、昼、夜の３回に亘り個別に収納できるように３個、朝用ケース部２Ａ、昼用ケース部２Ｂ、夜用ケース部２Ｃの様に形成することが好ましい。また、上蓋４に、朝、昼、夜の服用分が判るように「あさ」、「ひる」、「よる」等と刻印を形成しても構わない。なお、上蓋４の下面には図３に示さるようなシール片４Ａが形成されており、上蓋４が閉鎖されている時にシール片４Ａがケース部２の端縁内周部に密着することになり、これにより密閉状態を安定して維持することができ、保管状態時に湿気による錠剤の変質を防止することができる。
【００２２】
次に、錠剤ケース１の使用方法について説明する。
錠剤ケース１は、図３に示されるものであり、この状態から水を収容した飲料ボトル等としてのＰＥＴボトルである合成樹脂製の壜体１０に組み付けて図４に示されるような常に錠剤ケース１と壜体１０を同時に手に取れる状態にする。
【００２３】
錠剤ケース１を壜体１０に組み付ける時は、錠剤ケース１を壜体１０の口筒部の上方から下方に押し込み、ケース部２間にて内側に湾曲する各コーナー部３Ａの内周面に形成されている３ケの係止部（係止突起）３Ｂを、ネックリング１２を乗り越えさせて、ネックリング１２の下端部にアンダーカットで係止する。この係止は、錠剤ケース１が壜体１０の首部のネックリング１２から肩部１３にかけての空いたスペースを利用しているため、外出時に持ち出す鞄の中などで嵩張ることがない。また、組み付けることで錠剤ケース１と壜体１０が別々になることはなく鞄の中が乱雑になることはない。
【００２４】
錠剤をケース部２から取り出す際は、上蓋４のキャップ１１側の配置されたつまみ部５に指先を掛けて押し上げ、ヒンジ部６を支点として上蓋４が外側に向かって開口する（図５参照）。この上蓋４が外側に向かって開口することによって、仮に上蓋４の開口状態であってもキャップ１１の開栓動作が容易である。この実施形態でのつまみ部５は、指先の掛り易さやキャップ１１とつまみ部５の間に指が太い人でも指先が掛るように、中央部が外側に向かって湾曲して形成されている。
【００２５】
ケース部２の開口後は、壜体１０と共にケース部２を傾けて錠剤をケース部２から取り出し、壜体１０のキャップ１１を外して水と錠剤を共に服用することができる。そして、ケース部２とケース部２の間のコーナー部３Ａにて水を飲むと、錠剤ケース１が顎などに触れることがない。
【００２６】
図６は本発明に係る錠剤ケースの第２の実施形態を示す斜視図であり、図７は第２の実施形態においてケース部２を開口した時の斜視図である。第２の実施形態にあっては、ヒンジ部６がケース部２のキャップ１１側となる内側に形成され、ケース部２の外周面には切欠き部７が形成されている構造となっている。この形態にあっては、切欠き部７に指先又は指の腹を掛けて上蓋４を押し上げ、ヒンジ部６を支点として上蓋４が口筒部側の内側に向かって開口する。この上蓋４が内側に向かって開口することによって、壜体１０を傾けただけで錠剤をスムーズに取り出すことが可能である。
【００２７】
本実施形態においては、切欠き部７に指先で最も力を掛けられる親指にて押し上げ易いため、力の弱い高齢者でも開口可能である。また、切欠き部７に指の腹を置いて上蓋４を押し上げられるので、指先の爪にネイルを施しているような爪先を気にする女性においても開口できる。
【００２８】
以上、実施形態に沿って本発明の構成とその作用効果について説明したが、本発明の実施の形態は上記実施形態に限定されるものではない。
【００２９】
上記実施形態では、壜体１０が丸型形状のものを説明したが、本発明はこれに限られるものではなく、壜体１０の形状は角型形状のものであっても構わない。また、ケース部２は、３個に限定されるものではない。
【００３０】
また、上記本実施形態では、ネックリング１２に係止する係止部３Ｂとして係止突起を説明したが、係止部３Ｂはネックリング１２の外周面に接するように係止する構造であっても構わない。
【産業上の利用可能性】
【００３１】
以上説明したように、本発明の錠剤ケースは、常に錠剤ケースと壜体とを同時に手にすることができるため錠剤ケースの分野における用途展開を更に広い領域で図ることができる。
【符号の説明】
【００３２】
１    ；錠剤ケース
２、２Ａ、２Ｂ、２Ｃ    ；ケース部
３    ；周壁
３Ａ  ；コーナー部
３Ｂ  ；係止部（係止突起）
４    ；上蓋
４Ａ  ；シール片
５    ；つまみ部
６    ；ヒンジ
７    ；切欠き部
１０  ；壜体
１１  ；キャップ
１２  ；ネックリング（突出部）
１３  ；肩部
１４  ；胴部
１５  ；底部
【図１】
2016124563.tif 000003
【図２】
2016124563.tif 000004
【図３】
2016124563.tif 000005
【図４】
2016124563.tif 000006
【図５】
2016124563.tif 000007
【図６】
2016124563.tif 000008
【図７】
2016124563.tif 000009